(57)【要約】【課題】磁気共鳴イメージング装置が設置された撮影室へタブレット端末を医療従事者が誤って持ち込むことを低減すること。【解決手段】実施形態に係る装置は、第１の検出部と、入室管理部と、を備える。第１の検出部は、磁気共鳴イメージング装置が設置された撮影室の入り口の外側に設けられた所定の位置にモバイル端末が設置されたか否かを検出する。入室管理部は、モバイル端末が所定の位置に設置されたことが検出された場合に、入り口のドアの解錠、または入り口から撮影室への入室の許可に関する情報の出力を実行する。【選択図】図２
2022001239.tif 000002
【特許請求の範囲】
【請求項１】
磁気共鳴イメージング装置が設置された撮影室の入り口の外側に設けられた所定の位置にモバイル端末が設置されたか否かを検出する第１の検出部と、
前記モバイル端末が前記所定の位置に設置されたことが検出された場合に、前記入り口のドアの解錠、または前記入り口から前記撮影室への入室の許可に関する情報の出力を実行する入室管理部と、
を備える装置。
【請求項２】
前記モバイル端末が前記所定の位置に設置されたことが検出された場合に、前記入り口のドアの解錠、または前記入り口から前記撮影室への入室の許可に関する情報の出力の前に、前記磁気共鳴イメージング装置から発生する高磁場に関する注意事項を報知する報知部、をさらに備える、
請求項１に記載の装置。
【請求項３】
前記第１の検出部は、前記所定の位置に前記モバイル端末が設置された場合に、前記モバイル端末の設置を示す信号を取得することにより、前記モバイル端末が設置されたことを検出し、
前記入室管理部は、前記モバイル端末が前記所定の位置に設置されたことが検出された場合に、前記入り口のドアを解錠する、
請求項１または２に記載の装置。
【請求項４】
前記モバイル端末が前記所定の位置に設置されたことが検出された場合に、前記ドアの解錠または前記入り口から前記撮影室への入室の許可に関する情報の出力の前に、前記磁気共鳴イメージング装置から発生する高磁場に関する注意事項を報知部に報知させる報知制御部、をさらに備える、
請求項１から３のいずれか１項に記載の装置。
【請求項５】
前記ドアの開閉状態を検出する第２の検出部、をさらに備え、
前記報知制御部は、前記撮影室のドアが開状態であり、かつ、前記モバイル端末が前記所定の位置から取り外されたことが検出された場合に、前記撮影室への前記モバイル端末の持ち込みに関する注意喚起をする情報を前記報知部に報知させる、
請求項４に記載の装置。
【請求項６】
前記ドアの開閉状態を検出する第２の検出部と、
前記撮影室のドアが開状態である場合に、前記モバイル端末を前記所定の位置に固定する端末固定機構制御部と、をさらに備える、
請求項１から４のいずれか１項に記載の装置。
【請求項７】
前記入室管理部は、前記モバイル端末が前記所定の位置に設置されている間は、前記ドアを解錠状態にする、
請求項１から６のいずれか１項に記載の装置。
【請求項８】
前記入室管理部は、前記磁気共鳴イメージング装置による撮像中に前記モバイル端末が前記所定の位置から離れた場合に、前記ドアを解錠状態にする、
請求項１から６のいずれか１項に記載の装置。
【請求項９】
前記入り口は、前記撮影室の出口を兼ねており、
前記入室管理部は、前記モバイル端末が前記所定の位置に設置されているか否かに関わらず、前記撮影室の内側から前記ドアを開けることを可能にする、
請求項１から８のいずれか１項に記載の装置。
【請求項１０】
前記モバイル端末が前記所定の位置に設置されたことが検出された場合に、前記撮影室の外側にいる医療従事者または患者のうちの少なくとも１人を認証する認証部、をさらに備え、
前記入室管理部は前記モバイル端末が前記所定の位置に設置されたことが検出された場合であって、かつ、前記認証部によって前記医療従事者または前記患者のうちの少なくとも１人が認証された場合に、前記入り口のドアの解錠、または前記入り口から前記撮影室への入室の許可に関する情報の出力を実行する、
請求項１から９のいずれか１項に記載の装置。
【請求項１１】
前記装置は、前記磁気共鳴イメージング装置であり、
前記認証部は、前記撮影室の外側にいる前記患者を認証し、
前記認証部によって認証された前記患者に応じて、前記磁気共鳴イメージング装置の設定を変更する撮像処理部、をさらに備える、
請求項１０に記載の装置。
【請求項１２】
前記認証部は、前記撮影室の外側にいる少なくとも１人の医療従事者を認証し、
前記認証部によって認証された前記医療従事者に応じたガイダンス情報を、表示部に表示させる表示制御部、をさらに備える、
請求項１０または１１に記載の装置。
【請求項１３】
前記装置は、前記モバイル端末である、
請求項１から１０のいずれか１項に記載の装置。
【請求項１４】
前記装置は、電気錠である、
請求項１から１０のいずれか１項に記載の装置。
【請求項１５】
前記装置は、前記磁気共鳴イメージング装置と接続可能なサーバ装置である、
請求項１から１０のいずれか１項に記載の装置。
【請求項１６】
磁気共鳴イメージング装置が設置された撮影室の入り口の外側に設けられた所定の位置にモバイル端末が設置されたか否かを検出する第１の検出部と、
前記モバイル端末が前記所定の位置に設置されたことが検出された場合に、前記入り口のドアの解錠、または前記入り口から前記撮影室への入室の許可に関する情報の出力を実行する入室管理部と、
を備えるシステム。
【請求項１７】
磁気共鳴イメージング装置が設置された撮影室の入り口の外側に設けられた所定の位置にモバイル端末が設置されたか否かを検出する検出ステップと、
前記モバイル端末が前記所定の位置に設置されたことが検出された場合に、前記入り口のドアの解錠、または前記入り口から前記撮影室への入室の許可に関する情報の出力を実行する入室管理ステップと、
をコンピュータに実行させるプログラム。
【発明の詳細な説明】
【技術分野】
【０００１】
本明細書及び図面に開示の実施形態は、装置、システム、およびプログラムに関する。
【背景技術】
【０００２】
従来、医用画像を撮像する手法として、磁気共鳴イメージング（ＭＲＩ：Magnetic  Resonance  Imaging）が知られている。磁気共鳴イメージングは、静磁場中に置かれた被検体の原子核スピンを、そのラーモア（Larmor）周波数のＲＦ（Radio  Frequency）パルスで磁気的に励起し、励起に伴い発生する磁気共鳴信号のデータから画像を生成する撮像法である。このような磁気共鳴イメージングを実行する磁気共鳴イメージング装置からは高磁場が発生する。
【０００３】
このため、磁気共鳴イメージング装置が設置された撮影室に金属製品等の磁性体を持ち込むと、吸着事故が発生する可能性がある。例えば、近年、医療機関においては、持ち運び可能なタブレット端末などのモバイル端末が使用される場合があるが、このようなモバイル端末には、磁性体が含まれる場合がある。
【先行技術文献】
【特許文献】
【０００４】
【特許文献１】特開２０１４−２３６９８７号公報
【発明の概要】
【発明が解決しようとする課題】
【０００５】
本明細書及び図面に開示の実施形態が解決しようとする課題の一つは、磁気共鳴イメージング装置が設置された撮影室へモバイル端末を医療従事者が誤って持ち込むことを低減することである。ただし、本明細書及び図面に開示の実施形態により解決しようとする課題は上記課題に限られない。後述する実施形態に示す各構成による各効果に対応する課題を他の課題として位置づけることもできる。
【課題を解決するための手段】
【０００６】
実施形態に係る装置は、第１の検出部と、入室管理部と、を備える。第１の検出部は、磁気共鳴イメージング装置が設置された撮影室の入り口の外側に設けられた所定の位置にモバイル端末が設置されたか否かを検出する。入室管理部は、モバイル端末が所定の位置に設置されたことが検出された場合に、入り口のドアの解錠、または入り口から撮影室への入室の許可に関する情報の出力を実行する。
【図面の簡単な説明】
【０００７】
【図１】図１は、第１の実施形態に係る磁気共鳴イメージング装置が設置された撮影室の一例を示す図である。
【図２】図２は、第１の実施形態に係る磁気共鳴イメージング装置を含む入室管理システムの一例を示すブロック図である。
【図３】図３は、第１の実施形態に係るタブレット端末に表示された問診画面の一例を示す図である。
【図４】図４は、第１の実施形態に係る入室管理処理の流れの一例を示すフローチャートである。
【図５】図５は、第２の実施形態に係る磁気共鳴イメージング装置を含む入室管理システムの一例を示すブロック図である。
【図６】図６は、第３の実施形態に係る磁気共鳴イメージング装置を含む入室管理システムの一例を示すブロック図である。
【図７】図７は、第４の実施形態に係る磁気共鳴イメージング装置が設置された撮影室の一例を示す図である。
【図８】図８は、第４の実施形態に係る磁気共鳴イメージング装置を含む入室管理システムの一例を示すブロック図である。
【図９】図９は、第６の実施形態に係る磁気共鳴イメージング装置を含む入室管理システムの一例を示すブロック図である。
【発明を実施するための形態】
【０００８】
以下、図面を参照しながら、装置、システム、およびプログラムの実施形態について詳細に説明する。
【０００９】
（第１の実施形態）
図１は、第１の実施形態に係る磁気共鳴イメージング（ＭＲＩ：Magnetic  Resonance  Imaging）装置１００が設置された撮影室Ｒ１の一例を示す図である。
【００１０】
本実施形態の入室管理システムＳ１は、磁気共鳴イメージング装置１００と、タブレット端末２００と、電気錠４００と、タブレットホルダー５１０とを含む。入室管理システムＳ１は、撮影室Ｒ１への技師１または患者Ｐの入室を管理するシステムである。なお、入室管理システムＳ１は、さらに他の構成を備えても良い。また、タブレット端末２００およびタブレットホルダー５１０は入室管理システムＳ１に含まれなくとも良い。入室管理システムＳ１は、本実施形態におけるシステムの一例である。
【００１１】
磁気共鳴イメージング装置１００は、磁気共鳴イメージングにより、患者Ｐを撮像する。磁気共鳴イメージングは、静磁場中に置かれた被検体の原子核スピンを、そのラーモア（Larmor）周波数のＲＦ（Radio  Frequency）パルスで磁気的に励起し、励起に伴い発生する磁気共鳴信号のデータから画像を生成する撮像法である。このため、磁気共鳴イメージング装置１００からは高磁場が発生する。
【００１２】
磁気共鳴イメージング装置１００が設置された撮影室Ｒ１は、外来電磁波を撮影室Ｒ１内に入れない、及び、磁気共鳴イメージング装置１００から発生する電磁波を撮影室Ｒ１内に閉じこめて外部に漏らさないように施行されたシールドルームである。
【００１３】
撮影室Ｒ１の入り口のドア５００は、操作室Ｒ２と接続している。患者Ｐおよび技師１は、ドア５００から撮影室Ｒ１に入室する。なお、ドア５００は、撮影室Ｒ１からの出口も兼ねる。なお、技師１は、医療従事者の一例である。本実施形態における技師１は、医師や看護師等の他の医療従事者に置き換えても良い。
【００１４】
なお、撮影室Ｒ１と操作室Ｒ２との位置関係は、図１に示す例に限定されるものではない。例えば、撮影室Ｒ１には、操作室Ｒ２以外の部屋または廊下につながる他の出入り口が設けられていても良い。
【００１５】
操作室Ｒ２には、磁気共鳴イメージング装置１００と接続するコンソール装置３００が設置される。
【００１６】
コンソール装置３００は、磁気共鳴イメージング装置１００の管理に用いられる。例えばコンソール装置３００は、磁気共鳴イメージング装置１００によって撮像された磁気共鳴画像を表示する。また、コンソール装置３００は、ユーザによって入力された磁気共鳴イメージング装置１００の撮像条件等の情報を、磁気共鳴イメージング装置１００に送信する。
【００１７】
撮影室Ｒ１の入り口のドア５００は、電気錠４００が設けられている。電気錠４００は、磁気共鳴イメージング装置１００による制御の下、ドア５００の解錠および施錠を制御する。電気錠４００は、内部に設けられたソレノイドまたはモータ等の動作機構によって、施解錠が可能な錠である。電気錠４００は、例えば、不図示の操作盤を備え、技師１が手動で施錠操作が可能な構成とする。手動による施錠の手法は操作盤を用いるものに限定されるものではなく、施解錠操作が可能なつまみやスイッチ等がドア５００、またはドア５００の近傍に設けられても良い。電気錠４００は、施解錠状態、およびドア５００の開閉状態を、信号として磁気共鳴イメージング装置１００に出力する。なお、電気錠４００は電子錠を含むものとする。
【００１８】
タブレット端末２００は、例えば、患者Ｐが磁気共鳴イメージング装置１００による検査を受ける前に、技師１が患者Ｐの問診をするために使用される。タブレット端末２００は、無線通信機能を有し、磁気共鳴イメージング装置１００の計算機システムと互いに通信可能に接続する。また、タブレット端末２００は、病院情報システム（ＨＩＳ：Hospital  Information  System）、または放射線情報システム（ＲＩＳ：Radiology  Information  System）等の医療機関内の情報処理システムと互いに通信可能に接続する。
【００１９】
問診においては、技師１は、患者Ｐの本人確認、および磁気共鳴イメージング装置１００による撮像についての注意点の説明等を実施する。
【００２０】
患者Ｐの問診後、技師１は、患者Ｐを撮影室Ｒ１に誘導し、患者Ｐと共に撮影室Ｒ１内に入室する。そして、技師１は、患者Ｐを磁気共鳴イメージング装置１００の寝台上に載置し、患者Ｐの姿勢の固定、および高周波（ＲＦ：Radio  Frequency）コイルのセッティングを行う。
【００２１】
タブレット端末２００は、本実施形態におけるモバイル端末の一例である。タブレット端末２００は、磁気共鳴イメージング装置１００の一部であっても良いし、磁気共鳴イメージング装置１００とは別個の装置であっても良い。タブレット端末２００が磁気共鳴イメージング装置１００と別個の装置である場合、タブレット端末２００は、例えば、汎用的なタブレット端末でも良い。なお、モバイル端末は、タブレット端末２００に限定されるものではなく、持ち運び可能で無線通信機能を有するコンピュータであれば良い。例えば、モバイル端末は、スマートフォン等であっても良い。
【００２２】
また、撮影室Ｒ１の入り口のドア５００の外側には、タブレット端末２００を設置可能なタブレットホルダー５１０が設けられる。タブレットホルダー５１０は、例えば、ドア５００の近傍に設けられる。タブレットホルダー５１０は、本実施形態における所定の位置の一例である。なお、所定の位置はタブレットホルダー５１０に限定されるものではなく、例えば、タブレット端末２００を平置きすることが可能な台等であっても良い。
【００２３】
タブレットホルダー５１０は、例えば、タブレット端末２００と電気的に接続するコネクタを有する。コネクタは、タブレット端末２００がタブレットホルダー５１０に設置された場合に、タブレット端末２００の入出力端子と接続する位置に設けられる。コネクタがタブレット端末２００と接続した場合に、タブレットホルダー５１０は、磁気共鳴イメージング装置１００の計算機システムに、タブレット端末２００が設置されたことを表す信号を送信する。また、タブレット端末２００と磁気共鳴イメージング装置１００の計算機システム（図２に図示）とは、タブレットホルダー５１０のコネクタを介して通信可能に接続する。
【００２４】
タブレットホルダー５１０は、磁気共鳴イメージング装置１００の計算機システムとタブレット端末２００とを接続する役割に加えて、他の機能を有しても良い。
【００２５】
また、例えば、タブレットホルダー５１０は、タブレット端末２００が設置されたことを検出するセンサを備えても良い。センサによる検出手法は特に限定されるものではない。該センサは、タブレット端末２００が設置されたことを検出した場合、磁気共鳴イメージング装置１００の計算機システムに、タブレット端末２００が設置されたことを表す信号を送信する。また、該センサは、タブレット端末２００がタブレットホルダー５１０から取り外されたことを検出した場合、磁気共鳴イメージング装置１００の計算機システムに、タブレット端末２００が取り外されたことを表す信号を送信しても良い。
【００２６】
また、タブレットホルダー５１０は、電気錠４００の一部として構成されても良い。
【００２７】
本実施形態の磁気共鳴イメージング装置１００は、電気錠４００の施解錠を制御する。より詳細には、本実施形態の磁気共鳴イメージング装置１００は、タブレット端末２００がタブレットホルダー５１０に設置された場合に、電気錠４００を制御して解錠する。磁気共鳴イメージング装置１００は、本実施形態における装置の一例である。
【００２８】
図１に示すように、技師１は、撮影室Ｒ１への入室の際に、タブレット端末２００をタブレットホルダー５１０に設置する。この場合、電気錠４００が解錠されるため、技師１および患者Ｐは、ドア５００を開けて撮影室Ｒ１に入室することができる。つまり、本実施形態では、技師１は、タブレット端末２００を撮影室Ｒ１のドア５００の解錠のためのキーとして使用する。
【００２９】
本実施形態において、ドア５００が閉じた状態でタブレット端末２００がタブレットホルダー５１０に設置されていない場合には、電気錠４００は施錠状態であるものとする。このため、技師１は、基本的には、タブレット端末２００を設置しなければ、ドア５００を開けられず、撮影室Ｒ１に入室できない。また、技師１または患者Ｐが撮影室Ｒ１の内側からドア５００を開ける場合には、タブレット端末２００がタブレットホルダー５１０に設置されているか否かに関わらず、電気錠４００は解錠される。
【００３０】
次に、本実施形態における磁気共鳴イメージング装置１００のハードウェア構成および機能について、説明する。
【００３１】
図２は、第１の実施形態に係る磁気共鳴イメージング装置１００を含む入室管理システムＳ１の一例を示すブロック図である。
【００３２】
磁気共鳴イメージング装置１００と、電気錠４００と、タブレットホルダー５１０とは、院内ＬＡＮ（Local  Area  Network）等のネットワークＮ１によって接続する。磁気共鳴イメージング装置１００と、電気錠４００と、タブレットホルダー５１０とは、例えば有線ＬＡＮ等によって有線接続する。また、タブレット端末２００は、無線通信によって磁気共鳴イメージング装置１００または不図示の医用情報装置と接続する。また、タブレット端末２００は、タブレットホルダー５１０に接続している状態においては、タブレットホルダー５１０を介して、磁気共鳴イメージング装置１００と通信しても良い。なお、機器間の接続方法はこれに限定されるものではない。例えば、電気錠４００とタブレットホルダー５１０とは、ネットワークＮ１とは異なる専用ケーブルで接続されても良い。
【００３３】
また、ネットワークＮ１は、さらに、ＨＩＳ、ＲＩＳ、または撮影室Ｒ１が設けられた医療機関内に設置されたサーバ装置等と接続しても良い。
【００３４】
図２に示すように、磁気共鳴イメージング装置１００は、静磁場磁石１０１と、静磁場電源（非図示）と、傾斜磁場コイル１０３と、傾斜磁場電源１０４と、寝台１０５と、寝台制御回路１０６と、送信コイル１０７と、送信回路１０８と、受信コイル１０９と、受信回路１１０と、シーケンス制御回路１２０と、計算機システム１３０とを備える。
【００３５】
なお、図２に示す構成は一例に過ぎない。例えば、シーケンス制御回路１２０および計算機システム１３０内の各部は、適宜統合若しくは分離して構成されてもよい。なお、磁気共鳴イメージング装置１００に患者Ｐは含まれない。
【００３６】
静磁場磁石１０１は、中空の略円筒形状に形成された磁石であり、内部の空間に静磁場を発生する。静磁場磁石１０１は、例えば、超伝導磁石または永久磁石等である。なお、静磁場磁石１０１が永久磁石である場合、磁気共鳴イメージング装置１００は、静磁場電源を備えなくても良い。また、静磁場電源は、磁気共鳴イメージング装置１００とは別に備えられても良い。
【００３７】
傾斜磁場コイル１０３は、中空の略円筒形状に形成されたコイルであり、静磁場磁石１０１の内側に配置される。傾斜磁場コイル１０３は、互いに直交するＸ、Ｙ、及びＺの各軸に沿って磁場強度が変化する傾斜磁場を発生する。また、傾斜磁場電源１０４は、シーケンス制御回路１２０の制御の下、傾斜磁場コイル１０３に電流を供給する。
【００３８】
寝台１０５は、患者Ｐが載置される天板１０５ａを備え、寝台制御回路１０６による制御の下、天板１０５ａを、患者などの患者Ｐが載置された状態で、撮像口内へ挿入する。寝台制御回路１０６は、計算機システム１３０による制御の下、寝台１０５を駆動して天板１０５ａを長手方向および上下方向に移動させる。
【００３９】
送信コイル１０７は、送信回路１０８からＲＦパルスの供給を受けて、高周波磁場を発生し、該高周波磁場を患者Ｐに印加する。送信回路１０８は、シーケンス制御回路１２０の制御の下、送信コイル１０７にＲＦパルスを供給する。
【００４０】
受信コイル１０９は、傾斜磁場コイル１０３の内側に配置され、高周波磁場の影響によって患者Ｐから発せられる磁気共鳴（Magnetic  Resonance：ＭＲ）信号を受信する。受信コイル１０９は、受信したＭＲ信号を受信回路１１０へ出力する。なお、受信コイル１０９が送信コイル１０７と兼用される構成を採用しても良い。
【００４１】
受信回路１１０は、受信コイル１０９から出力されるアナログのＭＲ信号をアナログ・デジタル（ＡＤ）変換して、ＭＲデータを生成する。受信回路１１０は、生成したＭＲデータをシーケンス制御回路１２０へ送信する。なお、ＡＤ変換に関しては、受信コイル１０９内で行っても構わない。また、受信回路１１０はＡＤ変換以外にも任意の信号処理を行うことが可能である。
【００４２】
シーケンス制御回路１２０は、計算機システム１３０から送信されるシーケンス情報に基づいて、傾斜磁場電源１０４、送信回路１０８および受信回路１１０を駆動することによって、患者Ｐの撮像を行う。シーケンス情報は、撮像を行うための手順を定義した情報である。シーケンス制御回路１２０は、プロセッサにより実現されるものとしても良いし、ソフトウェアとハードウェアとの混合によって実現されても良い。
【００４３】
また、シーケンス制御回路１２０は、傾斜磁場電源１０４、送信回路１０８及び受信回路１１０を駆動して患者Ｐを撮像した結果、受信回路１１０からＭＲデータを受信すると、受信したＭＲデータを計算機システム１３０へ転送する。
【００４４】
計算機システム１３０は、磁気共鳴イメージング装置１００の全体制御や、ＭＲ画像の生成等を行う。図２に示すように、計算機システム１３０は、ＮＷ（ネットワーク）インタフェース１３１、記憶回路１３２、処理回路１３３、入力インタフェース１３４、およびディスプレイ１３５を備える。
【００４５】
記憶回路１３２は、ＮＷインタフェース１３１によって受信されたＭＲデータ、後述の処理回路１３３によってｋ空間に配置されたｋ空間データ、および処理回路１３３によって生成された画像データ等を記憶する。記憶回路１３２は、例えば、ＲＡＭ（Random  Access  Memory）、フラッシュメモリ等の半導体メモリ素子、ハードディスク、または光ディスク等である。
【００４６】
入力インタフェース１３４は、操作者からの各種指示や情報入力を受け付ける。入力インタフェース１３４は、例えば、トラックボール、スイッチボタン、マウス、キーボード、操作面へ触れることで入力操作を行うタッチパッド、表示画面とタッチパッドとが一体化されたタッチスクリーン、光学センサを用いた非接触入力回路、及び音声入力回路等によって実現される。入力インタフェースは処理回路１３３に接続されており、操作者から受け取った入力操作を電気信号へ変換し処理回路１３３へと出力する。なお、本明細書において入力インタフェースはマウス、キーボードなどの物理的な操作部品を備えるものだけに限られない。例えば、計算機システム１３０とは別体に設けられた外部の入力機器から入力操作に対応する電気信号を受け取り、この電気信号を制御回路へ出力する電気信号の処理回路も入力インタフェースの例に含まれる。
【００４７】
ディスプレイ１３５は、処理回路１３３の制御の下、各種のＧＵＩ（Graphical  User  Interface）や、技師１に対するガイダンス画面、または処理回路１３３によって生成された磁気共鳴画像等を表示する。ディスプレイ１３５は、例えば、液晶表示器等の表示デバイスである。
【００４８】
処理回路１３３は、磁気共鳴イメージング装置１００の全体の制御を行う。より詳細には、処理回路１３３は、一例として、撮像処理機能１３３ａ、第１の検出機能１３３ｂ、第２の検出機能１３３ｃ、電気錠制御機能１３３ｄ、表示制御機能１３３ｅ、受付機能１３３ｆ、および送受信機能１３３ｇを備える。撮像処理機能１３３ａは、撮像処理部の一例である。第１の検出機能１３３ｂは、第１の検出部の一例である。第２の検出機能１３３ｃは、第２の検出部の一例である。電気錠制御機能１３３ｄは、入室管理部の一例である。あるいは、電気錠４００と電気錠制御機能１３３ｄとの両方を入室管理部の一例としても良い。また、電気錠４００を、入室管理部の一例としても良い。表示制御機能１３３ｅは、表示制御部の一例である。受付機能１３３ｆは、受付部の一例である。送受信機能１３３ｇは、送受信部の一例である。
【００４９】
ここで、例えば、処理回路１３３の構成要素である撮像処理機能１３３ａ、第１の検出機能１３３ｂ、第２の検出機能１３３ｃ、電気錠制御機能１３３ｄ、表示制御機能１３３ｅ、受付機能１３３ｆ、および送受信機能１３３ｇの各処理機能は、コンピュータによって実行可能なプログラムの形態で記憶回路１３２に記憶されている。処理回路１３３は、プロセッサである。例えば、処理回路１３３は、プログラムを記憶回路１３２から読み出し、実行することで各プログラムに対応する機能を実現する。換言すると、各プログラムを読み出した状態の処理回路１３３は、図２の処理回路１３３内に示された各機能を有することとなる。なお、図２においては単一のプロセッサにて撮像処理機能１３３ａ、第１の検出機能１３３ｂ、第２の検出機能１３３ｃ、電気錠制御機能１３３ｄ、表示制御機能１３３ｅ、受付機能１３３ｆ、および送受信機能１３３ｇにて行われる処理機能が実現されるものとして説明したが、複数の独立したプロセッサを組み合わせて処理回路１３３を構成し、各プロセッサがプログラムを実行することにより機能を実現するものとしても構わない。また、図２においては単一の記憶回路１３２が各処理機能に対応するプログラムを記憶するものとして説明したが、複数の記憶回路を分散して配置して、処理回路１３３は個別の記憶回路から対応するプログラムを読み出す構成としても構わない。
【００５０】
撮像処理機能１３３ａは、磁気共鳴イメージング装置１００の各部を制御して、磁気共鳴画像の撮像を実行する。より詳細には、撮像処理機能１３３ａは、シーケンス情報の生成、ＭＲデータの収集、ｋ空間データの生成、および磁気共鳴画像の生成を実行する。撮像処理機能１３３ａは、生成した磁気共鳴画像を、例えば、記憶回路１３２に保存する。
【００５１】
第１の検出機能１３３ｂは、磁気共鳴イメージング装置１００が設置された撮影室Ｒ１の入り口の外側に設けられたタブレットホルダー５１０にタブレット端末２００が設置されたか否かを検出する。
【００５２】
より詳細には、第１の検出機能１３３ｂは、タブレットホルダー５１０にタブレット端末２００が設置された場合に、タブレット端末２００の設置を示す信号を、タブレットホルダー５１０から有線のネットワークＮ１およびＮＷインタフェース１３１を介して取得することにより、タブレット端末２００が設置されたことを検出する。
【００５３】
また、第１の検出機能１３３ｂは、タブレットホルダー５１０のコネクタおよび有線のネットワークＮ１を介してタブレット端末２００と接続している間は、タブレットホルダー５１０にタブレット端末２００が設置されている状態であると判定する。また、第１の検出機能１３３ｂは、タブレット端末２００との有線接続が切断状態である場合は、タブレットホルダー５１０にタブレット端末２００が設置されていない状態であると判定する。なお、タブレット端末２００がタブレットホルダー５１０に設置されているか否かを判定する手法はこれに限定されるものではない。第１の検出機能１３３ｂは、例えば、タブレットホルダー５１０に設けられたセンサから、タブレット端末２００の設置および取り外しを表す信号を取得しても良い。
【００５４】
第１の検出機能１３３ｂは、タブレットホルダー５１０にタブレット端末２００が設置されたか否かの検出結果を、電気錠制御機能１３３ｄに送出する。
【００５５】
また、第２の検出機能１３３ｃは、電気錠４００から、施解錠状態、およびドア５００の開閉状態を、信号として有線のネットワークＮ１およびＮＷインタフェース１３１を介して得することにより、電気錠４００の施錠状態およびドア５００の開閉状態を検出する。第２の検出機能１３３ｃは、電気錠４００の施錠状態およびドア５００の開閉状態の検出結果を、電気錠制御機能１３３ｄに送出する。
【００５６】
電気錠制御機能１３３ｄは、タブレット端末２００がタブレットホルダー５１０に設置されたことが検出された場合に、入り口のドア５００の解錠、または入り口からの入室の許可に関する情報の出力を実行する。本実施形態においては、電気錠制御機能１３３ｄは、タブレット端末２００が設置されたことが検出された場合に、撮影室Ｒ１の入り口のドア５００を解錠する。例えば、電気錠制御機能１３３ｄは、ネットワークＮ１およびＮＷインタフェース１３１を介して電気錠４００に解錠を指示する制御信号を送信することにより、入り口のドア５００を解錠する。
【００５７】
また、電気錠制御機能１３３ｄは、タブレット端末２００がタブレットホルダー５１０に設置されている間は、ドア５００を解錠状態のままにする。このため、技師１が入室時にタブレット端末２００をタブレットホルダー５１０に設置してドア５００を解錠した後は、作業のためにドア５００から撮影室Ｒ１を出入りする度にドア５００を解錠する手間が低減される。なお、電気錠制御機能１３３ｄは、技師１が手動で電気錠４００を操作して施錠状態にすることは許可しても良い。
【００５８】
また、電気錠制御機能１３３ｄは、ドア５００が閉状態で、タブレット端末２００がタブレットホルダー５１０から取り外された場合には、入り口のドア５００を施錠する。
【００５９】
また、電気錠制御機能１３３ｄは、タブレット端末２００がタブレットホルダー５１０に設置されているか否かに関わらず、撮影室Ｒ１の内側からドア５００を開けることは可能にする。例えば、電気錠制御機能１３３ｄは、撮影室Ｒ１の内側のドア５００の取手が技師１によって操作された場合は、電気錠４００を制御して解錠させる。
【００６０】
つまり、ドア５００が施錠状態の場合、技師１または患者Ｐは、撮影室Ｒ１の外側からはドア５００を開けることはできないが、撮影室Ｒ１の内側からはドア５００を開けることはできる。なお、撮影室Ｒ１の内側からドア５００を開放可能にする機能は、電気錠制御機能１３３ｄではなく、電気錠４００によって実現される機能であっても良い。
【００６１】
表示制御機能１３３ｅは、撮像処理機能１３３ａによって生成された磁気共鳴画像を、ディスプレイ１３５に表示させる。また、表示制御機能１３３ｅは、各種のＧＵＩをディスプレイ１３５に表示させる。
【００６２】
受付機能１３３ｆは、技師１による各種の操作を、入力インタフェース１３４を介して受け付ける。
【００６３】
送受信機能１３３ｇは、ネットワークＮ１およびＮＷインタフェース１３１を介して、コンソール装置３００との間で情報を送受信する。例えば、送受信機能１３３ｇは、撮像処理機能１３３ａによって生成された磁気共鳴画像を、コンソール装置３００に送信する。また、送受信機能１３３ｇは、コンソール装置３００で入力された撮像条件等の情報を、コンソール装置３００から受信する。
【００６４】
また、コンソール装置３００は、例えば、記憶回路、ＣＰＵ等の処理回路、ＮＷインタフェース、入力インタフェース、およびディスプレイ等を備えたＰＣ（Personal  Computer）である。
【００６５】
また、タブレット端末２００は、例えば、記憶回路、ＣＰＵ等の処理回路、ＮＷインタフェース、入力インタフェース、ディスプレイ、およびカメラ等を備える。タブレット端末２００の入力インタフェースは、ディスプレイとタッチパッドとが一体化されたタッチスクリーンとする。
【００６６】
図１で説明したように、タブレット端末２００は、例えば、患者Ｐが磁気共鳴イメージング装置１００による検査を受ける前に、技師１が患者Ｐの問診をするために使用される。
【００６７】
図３は、第１の実施形態に係るタブレット端末２００に表示された問診画面の一例を示す図である。図３に示すように、タブレット端末２００のディスプレイ２０１には、患者Ｐの患者情報、問診結果、患者ＰのＭＲＩ撮像における撮像条件が表示される。患者情報は、例えば、患者Ｐの氏名、年齢、身長、体重、および症状等を含む。患者情報や撮像条件は、例えばタブレット端末２００がＨＩＳ、ＲＩＳ、または磁気共鳴イメージング装置１００から取得して、ディスプレイ２０１に表示する。また、技師１は、患者Ｐの問診の際に、患者Ｐから聞き取りした内容を、問診結果としてタブレット端末２００に入力する。
【００６８】
上記説明では、「プロセッサ」が各機能に対応するプログラムを記憶回路から読み出して実行行する例を説明したが、実施形態はこれに限定されない。「プロセッサ」という文言は、例えば、ＣＰＵ（Central  Processing  Unit）、ＧＰＵ(Graphics  Processing  Unit)、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサが例えばＣＰＵである場合、プロセッサは記憶回路に保存されたプログラムを読み出して実行することで機能を実現する。一方、プロセッサがＡＳＩＣである場合、記憶回路にプログラムを保存する代わりに、当該機能がプロセッサの回路内に論理回路として直接組み込まれる。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図２における複数の構成要素を１つのプロセッサへ統合してその機能を実現するようにしてもよい。
【００６９】
次に、以上のように構成された本実施形態の磁気共鳴イメージング装置１００で実行される撮影室Ｒ１への入出管理処理の流れについて説明する。
【００７０】
図４は、第１の実施形態に係る入室管理処理の流れの一例を示すフローチャートである。このフローチャートの処理の開始時においては、撮影室Ｒ１のドア５００は、閉状態であり、かつ、施錠されているものとする。また、このフローチャートの処理の開始時においては、技師１と患者Ｐは撮影室Ｒ１の外にいるものとする。
【００７１】
まず、第１の検出機能１３３ｂは、タブレット端末２００がタブレットホルダー５１０に設置されたことを検出したか否かを判定する（Ｓ１）。第１の検出機能１３３ｂは、タブレット端末２００がタブレットホルダー５１０に設置されたことを検出していないと判定した場合には（Ｓ１“Ｎｏ”）、Ｓ１の処理を繰り返す。
【００７２】
また、第１の検出機能１３３ｂがタブレット端末２００がタブレットホルダー５１０に設置されたことを検出したと判定した場合（Ｓ１“Ｙｅｓ”）、電気錠制御機能１３３ｄは、電気錠４００を制御することにより、撮影室Ｒ１のドア５００を解錠する（Ｓ２）。
【００７３】
ここで、技師１および患者Ｐは、解錠されたドア５００を開けて撮影室Ｒ１に入室する。入室後、技師１は、ドア５００を閉状態にする。また、技師１は、患者Ｐを寝台１０５上に載置し、患者Ｐの姿勢の固定、および高周波（ＲＦ：Radio  Frequency）コイルのセッティングを行う。そして、技師１は、磁気共鳴イメージング装置１００による撮像を実行する。このフローチャートでは、撮像処理については省略する。
【００７４】
また、第１の検出機能１３３ｂは、タブレット端末２００がタブレットホルダー５１０から取り外されたか否かを判定する（Ｓ３）。
【００７５】
例えば、第１の検出機能１３３ｂは、タブレットホルダー５１０のコネクタおよび有線のネットワークＮ１を介してタブレット端末２００と接続している間は、タブレットホルダー５１０からタブレット端末２００が取り外されていないと判定する（Ｓ３“Ｎｏ”）。この場合、第１の検出機能１３３ｂは、Ｓ３の処理を繰り返す。
【００７６】
例えば、第１の検出機能１３３ｂは、タブレット端末２００との有線接続が切断状態であることを検出した場合は、タブレットホルダー５１０からタブレット端末２００が取り外されたと判定する（Ｓ３“Ｙｅｓ”）。
【００７７】
また、第２の検出機能１３３ｃは、電気錠４００から、ドア５００の開閉状態を取得し、ドア５００が閉状態であるか否かを判定する（Ｓ４）。第２の検出機能１３３ｃは、ドア５００が開状態であると判定した場合は（Ｓ４“Ｎｏ”）、Ｓ４の処理を繰り返す。
【００７８】
また、第２の検出機能１３３ｃがドア５００が閉状態であると判定した場合（Ｓ４“Ｙｅｓ”）、電気錠制御機能１３３ｄは、電気錠４００を制御することにより、撮影室Ｒ１のドア５００を施錠する（Ｓ５）。
【００７９】
なお、電気錠制御機能１３３ｄは、ドア５００が閉状態であるか否かに関わらず、電気錠４００に、撮影室Ｒ１のドア５００の施錠を指示する制御信号を送信しても良い。この場合、電気錠４００は、撮影室Ｒ１のドア５００の施錠を指示する制御信号の受信後に、ドア５００が閉状態となったタイミングで、ドア５００を施錠する。
【００８０】
ここで、このフローチャートの処理は終了する。また、このフローチャートの処理は、磁気共鳴イメージング装置１００が起動している間は、繰り返し実行される。
【００８１】
このように、本実施形態の磁気共鳴イメージング装置１００では、磁気共鳴イメージング装置１００が設置された撮影室Ｒ１の入り口の外側に設けられたタブレットホルダー５１０にタブレット端末２００が設置されたことが検出された場合に、入り口のドア５００を解錠する。つまり、技師１は、撮影室Ｒ１の入り口の外側にタブレット端末２００を設置しなければ、撮影室Ｒ１に入室することができない。このため、本実施形態の磁気共鳴イメージング装置１００によれば、磁気共鳴イメージング装置１００が設置された撮影室Ｒ１へタブレット端末２００を技師１が誤って持ち込むことを低減することができる。
【００８２】
例えば、タブレット端末に金属等の磁性体が使用されている場合、技師が問診のために使用したタブレット端末を所持したまま撮影室に入室すると、吸着事故が発生する可能性がある。また、吸着事故の発生を回避するために磁性体を含まないタブレット端末を使用する場合、一般的なタブレット端末を問診等に使用することが困難になる。これに対して、本実施形態では、タブレット端末２００を撮影室Ｒ１のドア５００の解錠のキーとして使用することで、技師１はタブレット端末２００をタブレットホルダー５１０に置いてから撮影室Ｒ１に入室するため、タブレット端末２００を所持したまま撮影室Ｒ１に入室することによる吸着事故の発生を低減することができる。
【００８３】
また、例えば、技師１がタブレット端末を所持したままでは患者をサポートすることが困難な場合があるため、タブレット端末を一時的に仮置きするための手間が発生する場合があった。これに対して、本実施形態では、撮影室Ｒ１の入り口の外側にタブレットホルダー５１０が用意されているため、技師１は撮影室Ｒ１に入る直前にタブレット端末２００を手放すことができ、撮影室Ｒ１に入室する患者Ｐをスムーズにサポートすることができる。
【００８４】
なお、本実施形態においては、タブレット端末２００と磁気共鳴イメージング装置１００とが通信するものとして説明したが、タブレット端末２００は、磁気共鳴イメージング装置１００との通信をするユニットまたはそのソフトウェアを有さなくとも良い。
【００８５】
（第２の実施形態）
上述の第１の実施形態では、磁気共鳴イメージング装置１００は、技師１および患者Ｐの撮影室Ｒ１への入室管理のために入り口のドア５００の施解錠を制御していたが、入室管理の手法はこれに限定されるものではない。この第２の実施形態では、磁気共鳴イメージング装置１００は、入り口から撮影室Ｒ１への入室の許可に関する情報の出力により、撮影室Ｒ１への入室を管理する。
【００８６】
図５は、第２の実施形態に係る磁気共鳴イメージング装置１００を含む入室管理システムＳ２の一例を示すブロック図である。
【００８７】
本実施形態では、一例として、撮影室Ｒ１の入り口のドア５００の外側に、上下動または平行移動可能なバー５２１が設けられているものとする。バー５２１は、バー駆動機構５２０によって上下または左右に移動されることにより、撮影室Ｒ１の外側からドア５００に向かう技師１または患者Ｐの通行を遮断または開放する。バー５２１は、例えば、踏切における遮断機のように開閉しても良い。
【００８８】
バー駆動機構５２０は、一例としてモータおよびアクチュエータ等を備え、磁気共鳴イメージング装置１００による制御の下、バー５２１を移動させる。バー駆動機構５２０と磁気共鳴イメージング装置１００とは、ネットワークＮ１で接続されても良いし、専用ケーブルで接続されていても良い。
【００８９】
本実施形態の磁気共鳴イメージング装置１００の構成は、図２で説明した第１の実施形態の構成と同様である。また、本実施形態の磁気共鳴イメージング装置１００の処理回路１３３は、撮像処理機能１３３ａ、第１の検出機能１３３ｂ、第２の検出機能１３３ｃ、電気錠制御機能１３３ｄ、表示制御機能１３３ｅ、受付機能１３３ｆ、送受信機能１３３ｇ、および開閉器制御機能１３３ｈを備える。開閉器制御機能１３３ｈは、本実施形態における入室管理部の一例である。また、磁気共鳴イメージング装置１００は、本実施形態における装置の一例である。
【００９０】
本実施形態の撮像処理機能１３３ａ、第１の検出機能１３３ｂ、第２の検出機能１３３ｃ、電気錠制御機能１３３ｄ、表示制御機能１３３ｅ、受付機能１３３ｆ、および送受信機能１３３ｇは、第１の実施形態と同様の機能を備える。
【００９１】
本実施形態の開閉器制御機能１３３ｈは、タブレット端末２００がタブレットホルダー５１０に設置されたことが検出された場合に、入り口から撮影室Ｒ１への入室の許可に関する情報の出力を実行する。
【００９２】
より詳細には、本実施形態の開閉器制御機能１３３ｈは、タブレット端末２００がタブレットホルダー５１０に設置されたことが検出された場合に、撮影室Ｒ１の入り口のドア５００の外側に設けられたバー駆動機構５２０に制御信号を送信して、バー５２１をドア５００の前から移動させるように制御することにより、撮影室Ｒ１の外側からドア５００に向かう技師１または患者Ｐの通行を可能にする。制御信号の送信は、本実施形態における入り口から撮影室Ｒ１への入室の許可に関する情報の出力の一例である。
【００９３】
なお、本実施形態では、タブレット端末２００がタブレットホルダー５１０に設置されていない場合には、バー５２１は撮影室Ｒ１の外側からドア５００に向かう技師１または患者Ｐの通行を遮断するように、ドア５００の前に位置するものとする。つまり、本実施形態では、技師１は、タブレット端末２００を、バー５２１をドア５００の前から移動させるためのキーとして使用する。
【００９４】
このように、本実施形態の磁気共鳴イメージング装置１００では、タブレット端末２００がタブレットホルダー５１０に設置されたことが検出された場合に、バー５２１をドア５００の前から移動させるように制御信号を送信する。このため、本実施形態の磁気共鳴イメージング装置１００によれば、タブレット端末２００を、バー５２１をドア５００の前から移動させるためのキーとして使用することにより、磁気共鳴イメージング装置１００が設置された撮影室Ｒ１へタブレット端末２００を技師１が誤って持ち込むことを低減することができる。例えば、既存のドア５００の鍵の機能を変更することが困難な場合においても、本実施形態の構成を適用することが可能である。
【００９５】
なお、本実施形態においては、撮影室Ｒ１のドア５００には電気錠４００が設けられていなくとも良い。また、磁気共鳴イメージング装置１００は、電気錠制御機能１３３ｄを備えなくとも良い。
【００９６】
あるいは、本実施形態におけるバー５２１は、電気錠４００の一部として構成されても良い。当該構成を採用する場合、電気錠制御機能１３３ｄが、開閉器制御機能１３３ｈを兼ねるものとする。
【００９７】
また、バー５２１以外の開閉器を採用しても良い。例えば、フラップドアや、移動可能な柵等がドア５００の前に設置されても良い。
【００９８】
（第３の実施形態）
この第３の実施形態では、磁気共鳴イメージング装置１００は、撮影室Ｒ１に入室する患者Ｐに対して、磁気共鳴イメージング装置１００から発生する高磁場に関する注意事項を、報知部に報知させる。
【００９９】
図６は、第３の実施形態に係る磁気共鳴イメージング装置１００を含む入室管理システムＳ３の一例を示すブロック図である。
【０１００】
本実施形態においては、撮影室Ｒ１のドア５００の外側に、スピーカ５３０が設けられる。スピーカ５３０は、ドア５００の近傍に設けられる。例えば、スピーカ５３０は、タブレットホルダー５１０上にも設けられても良い。
【０１０１】
スピーカ５３０は、タブレット端末２００がタブレットホルダー５１０に設置されたことが検出された場合、磁気共鳴イメージング装置１００による制御の下、入り口のドア５００の解錠、または入り口から撮影室Ｒ１への入室の許可に関する情報の出力の前に、磁気共鳴イメージング装置１００から発生する高磁場に関する注意事項を報知する。スピーカ５３０は、本実施形態における報知部の一例である。
【０１０２】
磁気共鳴イメージング装置１００から発生する高磁場に関する注意事項は、例えば、撮影室Ｒ１内は高磁場環境下であること、撮影時にはＲＦパルスが照射されること、および撮影室Ｒ１に入室する際には金属等の磁性体を身に付けてはいけないこと、等を読み上げる音声ガイダンスである。なお、注意事項の内容はこれらに限定されるものではない。
【０１０３】
本実施形態の磁気共鳴イメージング装置１００の構成は、図２で説明した第１の実施形態の構成と同様である。また、本実施形態の磁気共鳴イメージング装置１００の処理回路１３３は、撮像処理機能１３３ａ、第１の検出機能１３３ｂ、第２の検出機能１３３ｃ、電気錠制御機能１３３ｄ、表示制御機能１３３ｅ、受付機能１３３ｆ、送受信機能１３３ｇ、および報知制御機能１３３ｉを備える。報知制御機能１３３ｉは、報知制御部の一例である。また、磁気共鳴イメージング装置１００は、本実施形態における装置の一例である。
【０１０４】
本実施形態の撮像処理機能１３３ａ、第１の検出機能１３３ｂ、第２の検出機能１３３ｃ、電気錠制御機能１３３ｄ、表示制御機能１３３ｅ、受付機能１３３ｆ、および送受信機能１３３ｇは、第１の実施形態と同様の機能を備える。
【０１０５】
報知制御機能１３３ｉは、タブレット端末２００がタブレットホルダー５１０に設置されたことが検出された場合に、電気錠制御機能１３３ｄによるドア５００の解錠の前に、磁気共鳴イメージング装置１００から発生する高磁場に関する注意事項をスピーカ５３０に報知させる。
【０１０６】
例えば、報知制御機能１３３ｉは、ＮＷインタフェース１３１およびネットワークＮ１を介してスピーカ５３０を制御することにより、スピーカ５３０に磁気共鳴イメージング装置１００から発生する高磁場に関する注意事項を、音声ガイダンスとして報知させる。
【０１０７】
このように、本実施形態の磁気共鳴イメージング装置１００は、タブレット端末２００がタブレットホルダー５１０に設置されたことが検出された場合、電気錠制御機能１３３ｄによるドア５００の解錠の前に、磁気共鳴イメージング装置１００から発生する高磁場に関する注意事項をスピーカ５３０に報知させる。このため、本実施形態の磁気共鳴イメージング装置１００によれば、第１の実施形態の効果に加えて、技師１および患者Ｐが撮影室Ｒ１に入室直前に注意喚起をすることができ、技師１または患者Ｐが誤って磁性体を撮影室Ｒ１内に持ち込むこと等による事故の発生リスクを低減することができる。
【０１０８】
なお、本実施形態では、タブレット端末２００がタブレットホルダー５１０に設置されたことが検出された場合、電気錠制御機能１３３ｄがドア５００を開錠する構成を前提として説明したが、第２の実施形態で説明した構成に本実施形態の構成を適用しても良い。
【０１０９】
例えば、上述の第２の実施形態のように、タブレット端末２００がタブレットホルダー５１０に設置されたことが検出された場合、開閉器制御機能１３３ｈが入り口から撮影室Ｒ１への入室の許可に関する情報の出力をする場合、報知制御機能１３３ｉは、当該情報の出力の前に、磁気共鳴イメージング装置１００から発生する高磁場に関する注意事項をスピーカ５３０に報知させても良い。
【０１１０】
また、報知部は、スピーカ５３０に限定されるものではない。例えば、撮影室Ｒ１の入り口のドア５００の外側に、報知部としてディスプレイが設けられても良い。当該ディスプレイは、タブレットホルダー５１０と一体として構成されても良い。この場合、報知制御機能１３３ｉは、当該ディスプレイに、磁気共鳴イメージング装置１００から発生する高磁場に関する注意事項を、文字情報または画像として表示させても良い。また、ディスプレイとスピーカ５３０が一体として構成されても良い。
【０１１１】
また、タブレット端末２００が、報知部として機能しても良い。この場合、報知制御機能１３３ｉは、タブレット端末２００のディスプレイ２０１に、磁気共鳴イメージング装置１００から発生する高磁場に関する注意事項を、文字情報または画像として表示させても良い。また、報知制御機能１３３ｉは、該注意事項を、タブレット端末２００のスピーカから、音声として出力させても良い。
【０１１２】
また、撮影室Ｒ１の入り口のドア５００の外側に、ドア５００の前に位置する技師１および患者Ｐを撮像可能なカメラが設置されても良い。例えば、報知制御機能１３３ｉは、当該カメラから取得した撮像画像から、点滴台やストレッチャーなどの構造物を検出し、検出したこれらの構造物が磁性体を含まないか否かの確認を、技師１または患者Ｐに対して促すためのアナウンスをスピーカ５３０またはその他の報知部により報知させても良い。なお、当該カメラは、タブレット端末２００に備えられたカメラであっても良い。
【０１１３】
検出対象の構造物は、磁性体を含む可能性が高い構造物であり、予め記憶回路１３２に登録されていても良い。なお、撮像画像から点滴台やストレッチャーなどの構造物を検出する手法は、公知の画像認識処理、または機械学習等を採用しても良い。
【０１１４】
（第４の実施形態）
この第４の実施形態では、磁気共鳴イメージング装置１００は、さらに、撮影室Ｒ１に入室する技師１または患者Ｐを認証する。
【０１１５】
図７は、第４の実施形態に係る磁気共鳴イメージング装置１００が設置された撮影室Ｒ１の一例を示す図である。本実施形態では、認証手法の一例として、顔認証を例として挙げて説明する。図７に示すように、本実施形態では、撮影室Ｒ１の入り口のドア５００の外側に、技師１または患者Ｐの顔を撮像するカメラ５４０が設けられる。
【０１１６】
カメラ５４０は、技師１または患者Ｐのうち、少なくとも１人の顔を撮像する。また、ドア５００の前に複数の技師がいる場合には、いずれか１人の技師を撮像しても良いし、全ての技師の顔を撮像しても良い。
【０１１７】
なお、図７では、カメラ５４０は、タブレットホルダー５１０に設けられているが、カメラ５４０の設置位置はドア５００の近傍であれば良く、図７に示す例に限定されるものではない。カメラ５４０と磁気共鳴イメージング装置１００とは、ネットワークＮ１で接続されても良いし、専用ケーブルで接続されていても良い。
【０１１８】
また、例えば、カメラ５４０の代わりに、タブレット端末２００に備えられたカメラを採用しても良い。
【０１１９】
図８は、第４の実施形態に係る磁気共鳴イメージング装置１００を含む入室管理システムＳ４の一例を示すブロック図である。
【０１２０】
本実施形態のタブレット端末２００の記憶回路は、該タブレット端末２００を使用している技師１の識別情報と、問診対象の患者Ｐの識別情報とを記憶している。問診対象の患者Ｐは、磁気共鳴イメージング装置１００による検査を予約している患者である。各識別情報は、例えばＩＤ番号または氏名等である。
【０１２１】
タブレット端末２００は、例えばタブレットホルダー５１０に設置されると、該タブレット端末２００を使用している技師１の識別情報と、問診対象の患者Ｐの識別情報とを、タブレットホルダー５１０およびネットワークＮ１を介して磁気共鳴イメージング装置１００に送信する。なお、技師１の識別情報と、問診対象の患者Ｐの識別情報の送信のタイミング、および手法はこれに限定されるものではない。
【０１２２】
本実施形態の磁気共鳴イメージング装置１００の構成は、図２で説明した第１の実施形態の構成と同様である。また、本実施形態の磁気共鳴イメージング装置１００の処理回路１３３は、撮像処理機能１３３ａ、第１の検出機能１３３ｂ、第２の検出機能１３３ｃ、電気錠制御機能１３３ｄ、表示制御機能１３３ｅ、受付機能１３３ｆ、送受信機能１３３ｇ、および認証機能１３３ｊを備える。認証機能１３３ｊは、認証部の一例である。また、磁気共鳴イメージング装置１００は、本実施形態における装置の一例である。電気錠制御機能１３３ｄは、本実施形態における入室管理部の一例である。
【０１２３】
本実施形態の撮像処理機能１３３ａ、第１の検出機能１３３ｂ、第２の検出機能１３３ｃ、表示制御機能１３３ｅ、受付機能１３３ｆ、および送受信機能１３３ｇは、第１の実施形態と同様の機能を備える。
【０１２４】
認証機能１３３ｊは、タブレット端末２００がタブレットホルダー５１０に設置されたことが検出された場合に、撮影室Ｒ１の外側にいる技師１または患者Ｐのうちの少なくとも１人を認証する。撮影室Ｒ１の外側とは、例えば撮影室Ｒ１の入り口の前であるが、これに限定されるものではない。
【０１２５】
より詳細には、本実施形態の認証機能１３３ｊは、カメラ５４０から取得した撮像画像から特定した技師１または患者Ｐの識別情報と、タブレット端末２００に登録された技師１または患者Ｐの識別情報とを照合する。認証機能１３３ｊは、これらの識別情報が一致した場合に、撮像画像に描出された技師１または患者Ｐを、撮影室Ｒ１に入室して良い人物として認証する。
【０１２６】
例えば、記憶回路１３２は、撮影室Ｒ１が設けられた医療機関に勤務する各技師の顔写真と、各技師の識別情報とを対応付けた技師認証情報を記憶しているものとする。認証機能１３３ｊは、記憶回路１３２に記憶された各技師の顔写真のうち、カメラ５４０から取得した撮像画像に描出された技師１の顔と一致するものを特定し、特定した顔写真に対応付けられた識別情報を、撮像画像に描出された技師１の識別情報として特定する。認証機能１３３ｊは、特定した技師１の識別情報と、タブレット端末２００に登録された技師１の識別情報とが一致する場合に、技師１を、撮影室Ｒ１に入室して良い人物として認証する。
【０１２７】
また、記憶回路１３２は、磁気共鳴イメージング装置１００の撮像対象の患者Ｐの顔写真と、患者Ｐの識別情報とを対応付けた患者認証情報を記憶しているものとする。認証機能１３３ｊは、記憶回路１３２に記憶された患者Ｐの顔写真と、カメラ５４０から取得した撮像画像に描出された患者Ｐの顔とが一致する場合に、記憶回路１３２に記憶された患者Ｐの識別情報を、撮像画像に描出された患者Ｐの識別情報として特定する。認証機能１３３ｊは、特定した患者Ｐの識別情報と、タブレット端末２００に登録された患者Ｐの識別情報とが一致する場合に、患者Ｐを、撮影室Ｒ１に入室して良い人物として認証する。
【０１２８】
なお、技師認証情報、および患者認証情報は、磁気共鳴イメージング装置１００外に記憶されていても良い。記憶場所は、例えば、医療機関内のサーバ装置、またはタブレット端末２００等であっても良い。
【０１２９】
また、認証の手法は上述の手法に限定されるものではない。例えば、認証機能１３３ｊは、タブレット端末２００に登録された技師１または患者Ｐの識別情報ではなく、磁気共鳴イメージング装置１００の検査オーダーに登録された技師１または患者Ｐの識別情報を、カメラ５４０から取得した撮像画像から特定した技師１または患者Ｐの識別情報と照合しても良い。認証機能１３３ｊは、検査オーダーの情報を、例えばＲＩＳ等から取得しても良いし、磁気共鳴イメージング装置１００の記憶回路１３２から取得しても良い。
【０１３０】
認証機能１３３ｊは、技師１または患者Ｐを撮影室Ｒ１に入室して良い人物として認証したか否かを、電気錠制御機能１３３ｄに送出する。
【０１３１】
本実施形態の電気錠制御機能１３３ｄは、タブレット端末２００がタブレットホルダー５１０に設置されたことが検出された場合であって、かつ、認証機能１３３ｊによって技師１または患者Ｐのうちの少なくとも１人が認証された場合に、入り口のドア５００の解錠を実行する。
【０１３２】
このように、本実施形態の磁気共鳴イメージング装置１００は、タブレット端末２００がタブレットホルダー５１０に設置されたことが検出された場合であって、撮影室Ｒ１の外側にいる技師１または患者Ｐのうちの少なくとも１人が認証された場合に、入り口のドア５００の解錠を実行する。このため、本実施形態の磁気共鳴イメージング装置１００によれば、第１の実施形態の効果に加えて、撮影室Ｒ１に入室することが許された技師１または患者Ｐがドア５００の前にいる場合にのみ、ドア５００を開放可能にすることができる。
【０１３３】
例えば、撮影室Ｒ１のドア５００の前にいる患者Ｐの顔と対応付けられた識別情報が、問診対象として登録された患者の識別情報または磁気共鳴イメージング装置１００の検査のオーダーに登録された患者の識別情報と一致しない場合、ドア５００が解錠されないため、患者の取り違えの発生を低減することができる。
【０１３４】
また、例えば、撮影室Ｒ１のドア５００の前にいる技師１の顔と対応付けられた識別情報が、タブレット端末２００の使用者として登録された技師の識別情報または磁気共鳴イメージング装置１００の検査のオーダーに対応付けて登録された担当技師の識別情報と一致しない場合、ドア５００が解錠されないため、磁気共鳴イメージング装置１００を操作可能な技師１以外の人物が単独で撮影室Ｒ１に入室することとを低減することができる。
【０１３５】
なお、本実施形態においては、撮影室Ｒ１の外側にいる技師１または患者Ｐのうちの少なくとも１人を認証対象とすることとしたが、例えば、患者Ｐの認証を必須としても良い。あるいは、少なくとも１人の技師１の認証を必須としても良い。
【０１３６】
また、本実施形態では、タブレット端末２００がタブレットホルダー５１０に設置されたことが検出された場合、電気錠制御機能１３３ｄがドア５００を開錠する構成を前提として説明したが、第２の実施形態で説明した構成に本実施形態の構成を適用しても良い。
【０１３７】
例えば、上述の第２の実施形態のように、磁気共鳴イメージング装置１００が開閉器制御機能１３３ｈを備える場合、開閉器制御機能１３３ｈは、タブレット端末２００がタブレットホルダー５１０に設置されたことが検出された場合であって、かつ、認証機能１３３ｊによって技師１または患者Ｐのうちの少なくとも１人が認証された場合に、入り口から撮影室Ｒ１への入室の許可に関する情報を出力する。
【０１３８】
また、本実施形態では、顔認証を例として説明したが、認証機能１３３ｊは、音声認証、虹彩認証、または指紋認証等の各種の認証手法を採用することができる。また、技師１または患者Ｐの認証は、磁気共鳴イメージング装置１００ではなく、タブレット端末２００、電気錠４００、またはタブレットホルダー５１０によって実行されても良いし、その他の認証装置が備えられても良い。
【０１３９】
（第５の実施形態）
上述の第４の実施形態では、撮影室Ｒ１のドア５００の前に位置する技師１または患者Ｐの認識結果は、撮影室Ｒ１への入室の可否の判定のために使用されていたが、この第５の実施形態においては、認識された技師１または患者Ｐに応じて、磁気共鳴イメージング装置１００の設定を変更する。
【０１４０】
本実施形態の磁気共鳴イメージング装置１００の構成は、第４の実施形態の構成と同様である。また、本実施形態の磁気共鳴イメージング装置１００の処理回路１３３は、第４の実施形態と同様に、撮像処理機能１３３ａ、第１の検出機能１３３ｂ、第２の検出機能１３３ｃ、電気錠制御機能１３３ｄ、表示制御機能１３３ｅ、受付機能１３３ｆ、送受信機能１３３ｇ、および認証機能１３３ｊを備える。また、磁気共鳴イメージング装置１００は、本実施形態における装置の一例である。また、電気錠制御機能１３３ｄは、本実施形態における入室管理部の一例である。
【０１４１】
本実施形態の第１の検出機能１３３ｂ、第２の検出機能１３３ｃ、電気錠制御機能１３３ｄ、受付機能１３３ｆ、および送受信機能１３３ｇは、第４の実施形態と同様の機能を備える。
【０１４２】
本実施形態の認証機能１３３ｊは、第４の実施形態と同様の機能を備える。また、本実施形態においては、認証機能１３３ｊは、少なくとも１人の患者Ｐと、少なくとも１人の技師１とを認証する。
【０１４３】
本実施形態の撮像処理機能１３３ａは、第１の実施形態で説明した機能に加え、認証機能１３３ｊによって認証された患者Ｐに応じて、磁気共鳴イメージング装置１００の設定を変更する。
【０１４４】
例えば、撮像処理機能１３３ａは、認証された患者Ｐの識別情報に基づいて、タブレット端末２００に記憶された患者Ｐの患者情報から、患者Ｐの身長を取得する。撮像処理機能１３３ａは、取得した患者Ｐの身長に合わせて、寝台制御回路１０６を制御して寝台１０５の高さを調整する。なお、寝台１０５の高さは、磁気共鳴イメージング装置１００の設定の一例であり、変更対象はこれに限定されるものではない。
【０１４５】
なお、撮像処理機能１３３ａは、患者Ｐの患者情報を、記憶回路１３２、または医療機関内に設置された他のサーバ装置から取得しても良い。
【０１４６】
また、撮像処理機能１３３ａは、タブレット端末２００がタブレットホルダー５１０に設置された場合に、タブレット端末２００から患者Ｐの問診で登録された情報を取得し、取得した情報に基づいて、磁気共鳴画像の撮像のプランを設定しても良い。より詳細には、撮像処理機能１３３ａは、患者Ｐの問診で登録された情報に応じて、患者Ｐの撮像のためにシーケンス情報を生成する。
【０１４７】
なお、撮像処理機能１３３ａは、タブレット端末２００から問診で登録された情報を取得せずに、単に、タブレット端末２００がタブレットホルダー５１０に設置されたことをトリガとして、撮像の準備を開始しても良い。
【０１４８】
また、本実施形態の表示制御機能１３３ｅは、第１の実施形態で説明した機能に加え、認証機能１３３ｊによって認証された技師１に応じたガイダンス情報を、ディスプレイ１３５に表示させる。より詳細には、本実施形態の表示制御機能１３３ｅは、技師１の熟練度によって異なるガイダンス情報を、ディスプレイ１３５に表示させる。ディスプレイ１３５は、本実施形態における表示部の一例である。
【０１４９】
例えば、本実施形態の記憶回路１３２、または医療機関内に設置された他のサーバ装置は、各技師の識別情報と、各技師の熟練度を表す情報とを対応付けて記憶しているものとする。各技師の熟練度を表す情報は、第４の実施形態で説明した技師認証情報に含まれても良い。表示制御機能１３３ｅは、認証された技師１の識別情報に基づいて、記憶回路１３２等に記憶された技師認証情報から、技師１の熟練度を表す情報を取得する。各技師の熟練度を表す情報は、例えば、経験年数でも良いし、“高”、“低”等の熟練度のレベルであっても良い。
【０１５０】
ガイダンス情報は、例えば、患者Ｐを撮像に適した姿勢に固定する手順、患者ＰにＲＦコイルを取り付けるコイルセッティングの手順、または磁気共鳴イメージング装置１００の操作手順等を表す文字、または画像である。また、ガイダンス情報はさらに音声を含んでも良い。
【０１５１】
例えば、表示制御機能１３３ｅは、認証された技師１の熟練度が高い場合は、簡潔な内容のガイダンス情報を表示させる。また、表示制御機能１３３ｅは、認証された技師１の熟練度が低い場合は、詳細な内容のガイダンス情報を表示させる。
【０１５２】
このように、本実施形態の磁気共鳴イメージング装置１００は、撮影室Ｒ１の外側にいる患者Ｐを認証し、認証した患者Ｐに応じて、磁気共鳴イメージング装置１００の設定を変更する。このため、本実施形態の磁気共鳴イメージング装置１００によれば、入室する患者Ｐに合わせて、磁気共鳴イメージング装置１００の設定を迅速に変更することができ、撮影前の準備を効率化することができる。
【０１５３】
このように、本実施形態の磁気共鳴イメージング装置１００は、撮影室Ｒ１の入外側にいる技師１を認証し、認証した技師１に応じたガイダンス情報を、ディスプレイ１３５に表示させる。このため、本実施形態の磁気共鳴イメージング装置１００によれば、撮影室Ｒ１に入室する技師１に適したガイダンス情報を表示させることで、技師１の作業を効果的に支援することができる。
【０１５４】
なお、本実施形態では、技師１と患者Ｐの両方を認証するものとしたが、技師１のみ、あるいは患者Ｐのみを認証しても良い。また、本実施形態においては、表示制御機能１３３ｅは技師１の熟練度に応じて異なるガイダンス情報をディスプレイ１３５に表示させるものとしたが、熟練度以外の技師１の特性に応じて異なるガイダンス情報をディスプレイ１３５に表示させても良い。
【０１５５】
また、本実施形態では、タブレット端末２００がタブレットホルダー５１０に設置されたことが検出された場合、電気錠制御機能１３３ｄがドア５００を開錠する構成を前提として説明したが、第２の実施形態で説明した開閉器制御機能１３３ｈを含む構成に、本実施形態の構成を適用しても良い。また、その他の実施形態の構成と、本実施形態の構成を組み合わせても良い。
【０１５６】
（第６の実施形態）
この第６の実施形態では、磁気共鳴イメージング装置１００は、さらに、タブレットホルダー５１０に設置されたタブレット端末２００が取り外されないようにロックする機能を有する。
【０１５７】
図９は、第６の実施形態に係る磁気共鳴イメージング装置１００を含む入室管理システムＳ６の一例を示すブロック図である。本実施形態のタブレットホルダー５１０は、タブレット端末２００が取り外されないようにロックする機能を有する。
【０１５８】
本実施形態の磁気共鳴イメージング装置１００の構成は、第１の実施形態の構成と同様である。また、本実施形態の磁気共鳴イメージング装置１００の処理回路１３３は、第４の実施形態と同様に、撮像処理機能１３３ａ、第１の検出機能１３３ｂ、第２の検出機能１３３ｃ、電気錠制御機能１３３ｄ、表示制御機能１３３ｅ、受付機能１３３ｆ、送受信機能１３３ｇ、およびタブレット固定機能１３３ｋを備える。タブレット固定機能１３３ｋは、端末固定機構制御部の一例である。また、磁気共鳴イメージング装置１００は、本実施形態における装置の一例である。また、電気錠制御機能１３３ｄは、本実施形態における入室管理部の一例である。
【０１５９】
本実施形態の撮像処理機能１３３ａ、第１の検出機能１３３ｂ、第２の検出機能１３３ｃ、電気錠制御機能１３３ｄ、表示制御機能１３３ｅ、受付機能１３３ｆ、および送受信機能１３３ｇは、第１の実施形態と同様の機能を備える。
【０１６０】
タブレット固定機能１３３ｋは、第２の検出機能１３３ｃによって検出された撮影室Ｒ１のドア５００の開閉状態が開状態である場合には、タブレットホルダー５１０を制御してタブレット端末２００をタブレットホルダー５１０に固定する。この状態では、技師１は、タブレットホルダー５１０からタブレット端末２００を取り外すことはできない。
【０１６１】
技師１が撮影室Ｒ１のドア５００を閉じると、タブレット固定機能１３３ｋは、タブレットホルダー５１０を制御してタブレットホルダー５１０からタブレット端末２００を取り外し可能にする。
【０１６２】
このように、本実施形態の磁気共鳴イメージング装置１００は、撮影室Ｒ１のドア５００の開閉状態が開状態である場合に、タブレット端末２００をタブレットホルダー５１０に固定する。このため、本実施形態の磁気共鳴イメージング装置１００によれば、技師１がドア５００を開けたままタブレット端末２００をタブレットホルダー５１０から取り外すことを抑止することができる。例えば、技師１がドア５００を解錠後に、ドア５００を開けたままタブレット端末２００をタブレットホルダー５１０から取り外すと、タブレット端末２００を持ったまま誤って撮影室Ｒ１に入室してしまう可能性がある。本実施形態の磁気共鳴イメージング装置１００によれば、第１の実施形態の効果に加えて、このようにドア５００を解錠後に技師１がタブレット端末２００を誤って撮影室Ｒ１に持ち込むことを低減することができる。
【０１６３】
また、本実施形態では、磁気共鳴イメージング装置１００は第１の実施形態と同様の構成を有するものとしたが、他の実施形態と組み合せても良い。例えば、第２の実施形態で説明した開閉器制御機能１３３ｈを含む構成に、本実施形態の構成を適用しても良い。
【０１６４】
（変形例１）
上述の第２の実施形態では、ドア５００の施解錠以外に撮影室Ｒ１への入室を制御する手法として、撮影室Ｒ１の入り口のドア５００の外側に設けられたバー５２１の移動を制御することを例示した。しかしながら、撮影室Ｒ１への入室を制御する手法はこれらに限定されるものではない。
【０１６５】
例えば、バー５２１のように物理的に技師１または患者Ｐの通行を遮断する機構に代わり、入り口から撮影室Ｒ１への入室の許可に関する情報を教示させる、または該情報を音声として出力する報知部が設けられても良い。報知部は、例えば、スピーカ５３０、入室の可否を表すインジケータ、ディスプレイ、または表示灯等でも良い。報知部は、撮影室Ｒ１の入り口の外側、例えばドア５００の近傍に設けられる。なお、これらの装置は、いずれか１つが設置されても良いし、複数の装置が組み合わされて設置されても良い。なお、タブレット端末２００のディスプレイ２０１またはスピーカが報知部として機能しても良い。
【０１６６】
また、例えば、本変形例の磁気共鳴イメージング装置１００は、第３の実施形態と同様に報知制御機能１３３ｉを有する。本変形例の報知制御機能１３３ｉは、タブレット端末２００がタブレットホルダー５１０に設置されたことが検出されていない状態で、ドア５００が開状態になった場合、スピーカ５３０等の報知部に制御信号を送信して、入室が許可されていないことを報知する。該報知の内容は、入室しようとした技師１等に対する警報でも良いし、不正な入室があったことを周囲の人に対して知らせるものでも良い。
【０１６７】
また、本変形例の報知制御機能１３３ｉは、タブレット端末２００がタブレットホルダー５１０に設置されたことが検出された場合に、スピーカ５３０等の報知部に制御信号を送信することにより、入室が許可されたことを報知する。例えば、報知制御機能１３３ｉは、インジケータを制御して、入室可能であることを表す表示に変更する。また、報知制御機能１３３ｉは、タブレット端末２００がタブレットホルダー５１０に設置されたことが検出された場合には、警報をオフにするように、スピーカ５３０を制御しても良い。
【０１６８】
報知制御機能１３３ｉは、本実施形態における入室管理部の一例である。また、報知部への制御信号の送信は、入り口から撮影室Ｒ１への入室の許可に関する情報の出力の一例である。
【０１６９】
（変形例２）
また、磁気共鳴イメージング装置１００が撮像処理を実行中か否かによって、ドア５００の施解錠の条件が異なっても良い。
【０１７０】
例えば、電気錠制御機能１３３ｄは、磁気共鳴イメージング装置１００による患者Ｐの撮像中にタブレット端末２００がタブレットホルダー５１０から離れた場合、ドア５００を解錠状態にしても良い。磁気共鳴イメージング装置１００による撮像処理の実行中は、撮像対象の患者Ｐが撮影室Ｒ１にいる。このため、タブレット端末２００がタブレットホルダー５１０から離れた場合でもドア５００を解錠状態にすることにより、何らかの緊急事態が発生した場合においても、撮影室Ｒ１の外から、患者Ｐのサポート等のための医療従事者がスムーズに入室することができる。
【０１７１】
また、電気錠制御機能１３３ｄは、磁気共鳴イメージング装置１００による患者Ｐの撮像中にタブレット端末２００がタブレットホルダー５１０から離れた場合、その後、磁気共鳴イメージング装置１００による撮像処理が終了しても、技師１の手動によってドア５００が施錠されるまでは、ドア５００の解錠状態を維持しても良い。
【０１７２】
なお、ドア５００を手動で施錠する手法は特に限定するものではないが、例えばドア５００、またはドア５００の近傍に設けられたつまみやスイッチ等を技師１が操作することにより、ドア５００を施錠されても良い。また、磁気共鳴イメージング装置１００の受付機能１３３ｆが、技師１がドア５００を施錠する操作を受け付けても良い。あるいは、コンソール装置３００が、技師１がドア５００を施錠する操作を受け付けても良い。
【０１７３】
また、電気錠制御機能１３３ｄは、磁気共鳴イメージング装置１００による患者Ｐの撮像中にタブレット端末２００がタブレットホルダー５１０から離れた場合、ドア５００を解錠状態にし、その後、所定の時間が経過するとドア５００を施錠しても良い。
【０１７４】
また、タブレット端末２００がＧＰＳ（Global  Positioning  System）発信機等の位置情報発信機能を備える場合、電気錠制御機能１３３ｄは、タブレット端末２００が撮影室Ｒ１から所定の距離以上離れた場合に、ドア５００を施錠しても良い。
【０１７５】
また、撮像処理が実行中であるか否かに関わらず、患者Ｐが磁気共鳴イメージング装置１００に設けられたペイシェントコールボタンを押下した場合、または磁気共鳴イメージング装置１００でシステムエラーが発生した場合には、電気錠制御機能１３３ｄは、ドア５００を解錠しても良い。
【０１７６】
また、上述の第６の実施形態で説明したタブレット固定機能１３３ｋを磁気共鳴イメージング装置１００が備える場合、磁気共鳴イメージング装置１００が撮像処理を実行中か否かによって、タブレット端末２００のロックの条件が異なっても良い。
【０１７７】
例えば、ドア５００が解錠されてから、磁気共鳴イメージング装置１００による患者Ｐの撮影が完了するまでの期間は、磁気共鳴イメージング装置１００のタブレット固定機能１３３ｋが、タブレット端末２００がタブレットホルダー５１０から取り外されないようにロックしても良い。
【０１７８】
（変形例３）
また、上述の第６の実施形態では、撮影室Ｒ１へのタブレット端末２００の持ち込みを低減するために、ドア５００を開けたままタブレット端末２００をタブレットホルダー５１０から取り外すことを制限していたが、他の手法を採用しても良い。
【０１７９】
例えば、撮影室Ｒ１のドア５００が開状態である場合であって、かつ、タブレット端末２００がタブレットホルダー５１０から取り外されたことが検出された場合、報知制御機能１３３ｉが、タブレット端末２００の撮影室Ｒ１への持ち込みに関する注意喚起をする情報を、スピーカ５３０等の報知部に報知させても良い。
【０１８０】
注意喚起をする情報は、例えば、「撮影室のドアが開いています。タブレット端末を所定の位置に戻し、撮影室内に人がいないことを確認したうえで、撮影室のドアを閉めたのちに、タブレット端末を使用してください」という音声情報または文字情報等であるが、これらに限定されるものではない。
【０１８１】
（変形例４）
また、上述の各実施形態では、撮影室Ｒ１は１つの入り口を有するものとして説明したが、撮影室Ｒ１は複数の入り口を備えても良い。この場合、全ての入り口のドアに、それぞれドア５００と同様にタブレット端末２００をキーとする錠が設けられても良い。また、いずれか１つのドアにタブレット端末２００が設置された場合に、全てのドアが解錠状態になるものとしても良い。あるいは、患者Ｐの入室に使用されるドア５００にのみタブレット端末２００をキーとする錠が設けられ、その他の入り口には当該錠は設けられなくても良い。
【０１８２】
（変形例５）
また、タブレット端末２００をタブレットホルダー５１０に設置する以外に撮影室Ｒ１のドア５００を解錠する手段が用意されていても良い。例えば、ドア５００またはドア５００の近傍に、強制的に解錠するための操作部が設けられていても良い。また、コンソール装置３００が、技師１がドア５００を強制的に解錠する操作を受け付けても良い。
【０１８３】
（変形例６）
上述の各実施形態では、磁気共鳴イメージング装置１００を装置の一例としたが、装置はこれに限定されるものではない。例えば、タブレット端末２００が装置の一例であっても良い。
【０１８４】
この場合、上述の各実施形態において磁気共鳴イメージング装置１００の機能として説明した機能を、タブレット端末２００が備えるものとする。例えば、タブレット端末２００第１の検出機能１３３ｂ、第２の検出機能１３３ｃ、電気錠制御機能１３３ｄを備えても良い。なお、タブレット端末２００の機能はさらに他の機能を備えても良い。
【０１８５】
また、電気錠４００、コンソール装置３００、または医療機関内に設置されたサーバ装置等が装置の一例であっても良い。この場合、上述の各実施形態において磁気共鳴イメージング装置１００の機能として説明した機能を、電気錠４００、コンソール装置３００、または医療機関内に設置されたサーバ装置等が備えるものとする。
【０１８６】
なお、上述の各実施形態において磁気共鳴イメージング装置１００の機能として説明した機能は、複数の装置によって分散して実現されても良い。
【０１８７】
（変形例７）
また、上述の各実施形態では、撮影室Ｒ１のドア５００の施解錠は磁気共鳴イメージング装置１００が有線または無線通信によって電気錠４００を制御することにより実行されるものとしたが、ドア５００の施解錠は、無線または有線によるデータ通信によって制御なれなくとも良い。例えば、タブレット端末２００がタブレットホルダー５１０に設置された場合に、単に、電気的な接点信号または機械的なスイッチによりドア５００が解錠されても良い。当該構成を採用する場合は、電気錠４００またはドア５００に設けられた機械的なスイッチが、入室管理部の一例となる。また、この場合、電気錠４００が装置の一例となっても良い。
【０１８８】
（変形例８）
また、上述の各実施形態では、撮影室Ｒ１のドア５００には電気錠４００が設けられるとしたが、電気錠４００の代わりに、非電気的な機械的構造の機械錠が設けられても良い。
【０１８９】
また、上述の各実施形態において、「タブレット端末２００がタブレットホルダー５１０に設置されたことを検出する」手法として、電気的な検出手法を例示したが、検出の手法はこれに限定されるものではない。例えば、単に、タブレット端末２００がタブレットホルダー５１０に設置されたことによって機械的なスイッチが押下されたことを、検出の一例としても良い。例えば、第１の検出部および入室管理部の両方が、機械的な構成により実現されても良い。
【０１９０】
以上説明した少なくとも１つの実施形態によれば、磁気共鳴イメージング装置が設置された撮影室へタブレット端末を医療従事者が誤って持ち込むことを低減することができる。
【０１９１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、実施形態同士の組み合わせを行うことができる。これら実施形態やその変形は、発明の範囲や要旨に含まれると同様に、特許請求の範囲に記載された発明とその均等の範囲に含まれるものである。
【符号の説明】
【０１９２】
１  技師
１００  磁気共鳴イメージング装置
１３２  記憶回路
１３３  処理回路
１３３ａ  撮像処理機能
１３３ｂ  第１の検出機能
１３３ｃ  第２の検出機能
１３３ｄ  電気錠制御機能
１３３ｅ  表示制御機能
１３３ｆ  受付機能
１３３ｇ  送受信機能
１３３ｈ  開閉器制御機能
１３３ｉ  報知制御機能
１３３ｊ  認証機能
１３３ｋ  タブレット固定機能
１３５  ディスプレイ
２００  タブレット端末
２０１  ディスプレイ
３００  コンソール装置
４００  電気錠
５００  ドア
５１０  タブレットホルダー
５２０  バー駆動機構
５２１  バー
５３０  スピーカ
５４０  カメラ
Ｎ１  ネットワーク
Ｐ  患者
Ｒ１  撮影室
Ｒ２  操作室
Ｓ１〜Ｓ４，Ｓ６  入室管理システム
【図１】
2022001239.tif 000003
【図２】
2022001239.tif 000004
【図３】
2022001239.tif 000005
【図４】
2022001239.tif 000006
【図５】
2022001239.tif 000007
【図６】
2022001239.tif 000008
【図７】
2022001239.tif 000009
【図８】
2022001239.tif 000010
【図９】
2022001239.tif 000011